(57)【特許請求の範囲】
【請求項１】
建物に配設された再生手段によってメディア再生装置に記憶された情報を再生する建物用メディア再生システムであって、
建物の室内は、縦材及び横材により構成されたフレームの室内側面に固定された面材を壁面として形成され、
建物の前記室内に配置され、前記メディア再生装置を載置可能であって、当該メディア再生装置を載置したときに当該メディア再生装置と電気的に接続される載置手段側接続端子部を備える載置手段と、
建物の前記壁面内部に配置され、前記載置手段側接続端子部と電気的に接続される格納手段側接続端子部を備えて前記載置手段が室内側から取り付けられる格納手段と、を設け、
前記格納手段は、左右方向に延びた略箱状に形成されると共に、前記縦材の任意の左右一側に当該格納手段を固定する縦材用固定部と、前記載置手段を当該格納手段の任意の左右一側に固定する載置手段用固定部と、を有し、
前記格納手段には、前記載置手段側接続端子部へ電力を供給する電力供給部と、前記メディア再生装置と前記再生手段との間に接続されて当該メディア再生装置からの出力を増幅させる増幅部と、が格納され、
前記格納手段を前記縦材用固定部により前記縦材の左側に固定する場合、
前記載置手段を前記格納手段の左側に固定する前記載置手段用固定部と対応する前記面材の一部分に開口部が形成されると共に、当該開口部を介して前記載置手段が当該載置手段用固定部により当該格納手段に固定され、
前記格納手段を前記縦材用固定部により前記縦材の右側に固定する場合、
前記載置手段を前記格納手段の右側に固定する前記載置手段用固定部と対応する前記面材の一部分に開口部が形成されると共に、当該開口部を介して前記載置手段が当該載置手段用固定部により当該格納手段に固定されて、
前記格納手段側接続端子部は、前記格納手段内において前記電力供給部及び前記増幅部よりも中央側に配置され、前記載置手段が当該格納手段の左側及び右側の何れの側に固定された場合でも、前記載置手段側接続端子部と電気的に接続される、
建物用メディア再生システム。
【発明の詳細な説明】
【技術分野】
【０００１】
本発明は、建物用メディア再生システムの技術に関し、特に、携帯用のメディア再生装置を利用した建物用メディア再生システムの技術に関する。
【背景技術】
【０００２】
従来、屋外へ携帯することができる小型（携帯用）のメディア再生装置が公知となっている。前記メディア再生装置は、ＣＤやＭＤやフラッシュメモリなどのメディア（媒体）に記憶した音楽などの音響情報や動画などの映像情報を再生することができる装置であり、主に屋外において、再生された音響情報や映像情報を使用者が単独で視聴するための装置である（例えば、特許文献１参照）。
【０００３】
前記メディア再生装置は、主に屋外において音響情報や映像情報を再生することに特化されている。したがって、前記メディア再生装置は、例えばヘッドホンやイヤホンを介して音響情報を再生する。しかし、通常、音響情報を屋内において再生する場合、屋外での再生と比較して大きな音量で音響情報を再生する傾向がある。そのため、前記メディア再生装置は、屋内において音響情報を再生することに適していなかった。
【０００４】
そこで、例えば、前記メディア再生装置を外付けのスピーカー（再生手段）に接続し、当該メディア再生装置のメディアに記憶した音響情報を、外付けのスピーカーを介して再生する技術が公知となっている（例えば、特許文献２参照）。この技術によれば、前記メディア再生装置のメディアに記憶した音響情報は、アンプなどから構成される増幅装置（増幅部）によって出力が増幅され、外付けのスピーカーを介して再生される。
【０００５】
また、前記メディア再生装置を載置可能であって、前記メディア再生装置に電力を供給するための電力供給部に接続された載置手段が公知となっている（例えば、特許文献３参照）。この技術によれば、前記メディア再生装置が載置手段に載置されたときに、前記メディア再生装置の接続端子部が載置手段の載置手段側接続端子部に接続される。そして、前記メディア再生装置に、載置手段側接続端子部と接続された電力供給部から電力が供給される。載置手段は、例えば、メディア再生装置を立てた状態で載置可能なクレードル装置である。
【先行技術文献】
【特許文献】
【０００６】
【特許文献１】特開２００９−１１０６４５号公報
【特許文献２】特開２００７−１１０６５６号公報
【特許文献３】特開２００７−２１３１２１号公報
【発明の概要】
【発明が解決しようとする課題】
【０００７】
しかし、前記メディア再生装置に外付けのスピーカー（再生手段）を接続する場合、配線などの接続手段を室内に配置する必要がある。したがって、配線などの接続手段が室内に露出して、見栄えが悪くなり意匠性が低下することとなった。さらに、前記電力供給部や前記増幅部が室内に配置されると、当該電力供給部及び当該増幅部や、これらの部材に接続された配線などが室内に露出して、見栄えが悪くなり意匠性が低下することとなった。
また、前記メディア再生装置を載置する載置手段の近くに電力供給部及び増幅部や、載置側接続端子部に接続された配線などの複数の部材が配置されると、建物用メディア再生システムを構成する各部材の組み付けが煩雑となって、比較的困難となった。
【０００８】
そこで、本発明は係る課題に鑑み、電力供給部及び増幅部、さらには配線などの接続手段が室内に露出することがなく、見栄えが良くなり意匠性を向上させることができ、さらには（建物用メディア再生システムを構成する）各部材の組み付けが煩雑とならず、比較的容易とすることができる建物用メディア再生システムを提供する。
【課題を解決するための手段】
【０００９】
本発明の解決しようとする課題は以上の如くであり、次にこの課題を解決するための手段を説明する。
【００１０】
即ち、請求項１においては、建物に配設された再生手段によってメディア再生装置に記憶された情報を再生する建物用メディア再生システムであって、建物の室内は、縦材及び横材により構成されたフレームの室内側面に固定された面材を壁面として形成され、建物の前記室内に配置され、前記メディア再生装置を載置可能であって、当該メディア再生装置を載置したときに当該メディア再生装置と電気的に接続される載置手段側接続端子部を備える載置手段と、建物の前記壁面内部に配置され、前記載置手段側接続端子部と電気的に接続される格納手段側接続端子部を備えて前記載置手段が室内側から取り付けられる格納手段と、を設け、前記格納手段は、左右方向に延びた略箱状に形成されると共に、前記縦材の任意の左右一側に当該格納手段を固定する縦材用固定部と、前記載置手段を当該格納手段の任意の左右一側に固定する載置手段用固定部と、を有し、前記格納手段には、前記載置手段側接続端子部へ電力を供給する電力供給部と、前記メディア再生装置と前記再生手段との間に接続されて当該メディア再生装置からの出力を増幅させる増幅部と、が格納され、前記格納手段を前記縦材用固定部により前記縦材の左側に固定する場合、前記載置手段を前記格納手段の左側に固定する前記載置手段用固定部と対応する前記面材の一部分に開口部が形成されると共に、当該開口部を介して前記載置手段が当該載置手段用固定部により当該格納手段に固定され、前記格納手段を前記縦材用固定部により前記縦材の右側に固定する場合、前記載置手段を前記格納手段の右側に固定する前記載置手段用固定部と対応する前記面材の一部分に開口部が形成されると共に、当該開口部を介して前記載置手段が当該載置手段用固定部により当該格納手段に固定されて、前記格納手段側接続端子部は、前記格納手段内において前記電力供給部及び前記増幅部よりも中央側に配置され、前記載置手段が当該格納手段の左側及び右側の何れの側に固定された場合でも、前記載置手段側接続端子部と電気的に接続されるものである。
【発明の効果】
【００１２】
本発明の効果として、以下に示すような効果を奏する。
載置手段が取り付けられる格納手段が、建物の壁面内部に配置されるので、電力供給部及び増幅部、さらに配線などの接続手段が室内に露出することがなく、見栄えが良くなり意匠性を向上させることができる。
また、格納手段側接続端子部、電力供給部、及び増幅部が一つの部材（格納手段）に格納されるので、各部材の組み付けが煩雑とならず、比較的容易とすることができる。
また、格納手段側接続端子部が電力供給部及び増幅部よりも中央側に配置される。したがって、格納手段に対する載置手段の取付け位置が中央に配置されていなくても（いずれか一側へ偏って配置されていても）、載置手段側接続端子部と格納手段側接続端子部とを比較的容易に接続することができる（建物用メディア再生システムの組み付けを比較的容易とすることができる）。
【図面の簡単な説明】
【００１３】
【図１】建物用メディア再生システムを設けた室内を一点透視した正面図。
【図２】建物用メディア再生システムの全体的な構成を示したブロック図。
【図３】（ａ）載置台を示す前方斜視図（ｂ）載置台及び配線器具ボックスを示す側面一部断面図。
【図４】（ｂ）配線器具ボックスを示す前方斜視図（ｂ）同じく正面図。
【図５】（ａ）間仕切パネル及び配線器具ボックスを示す正面図（ｂ）間仕切パネル及び配線器具ボックスを示す正面図。
【図６】（ａ）第一実施形態に係る、配線器具ボックス、間仕切パネル、及び載置台を示す前方斜視図（ｂ）第一実施形態に係る、載置台を間仕切り壁に取り付けた状態の配線器具ボックス、間仕切パネル、及び載置台を示す前方斜視図。
【図７】（ａ）第一実施形態に係る、配線器具ボックス、間仕切パネル、及び載置台を示す前方斜視図（ｂ）第一実施形態に係る、載置台を間仕切り壁に取り付けた状態の配線器具ボックス、間仕切パネル、及び載置台を示す前方斜視図。
【図８】（ａ）右側に配置された載置台と配線器具ボックスの格納手段側接続端子部との位置関係を示す正面模式図。（ｂ）左側に配置された載置台と配線器具ボックスの格納手段側接続端子部との位置関係を示す正面模式図。
【図９】（ａ）第二実施形態に係る、配線器具ボックス、間仕切パネル、及び載置台を示す前方斜視図（ｂ）第二実施形態に係る、載置台を間仕切り壁に取り付けた状態の配線器具ボックス、間仕切パネル、及び載置台を示す前方斜視図。
【図１０】（ａ）第二実施形態に係る、配線器具ボックス、間仕切パネル、及び載置台を示す前方斜視図（ｂ）第二実施形態に係る、載置台を間仕切り壁に取り付けた状態の配線器具ボックス、間仕切パネル、及び載置台を示す前方斜視図。
【発明を実施するための形態】
【００１４】
次に、発明の実施の形態を説明する。
まず、本発明の一実施形態にかかる建物用メディア再生システム１の全体構成について図１及び図２を用いて説明する。建物用メディア再生システム１は、メディア再生装置１００が有する再生機能を利用して、メディア再生装置１００のメディアに記憶されている音楽情報を建物内で再生するためのものである。メディア再生装置１００とは、例えば、携帯用のマルチメディアプレーヤーである。メディア再生装置１００は、記憶部（メディア）１０１を備えており、記憶部１０１には、音楽情報などが格納されている。また、メディア再生装置１００はそれ自体にスピーカーなどの出力部を有している構造であっても、出力端子やイヤホンジャックの出力部を備える構造であってもよい。
【００１５】
建物用メディア再生システム１は、建物に設けられた再生手段としてのスピーカー１１と、スピーカー１１とメディア再生装置１００とを電気的に接続可能とする載置手段側接続端子部３４を備える載置手段としての載置台１３と、載置手段側接続端子部３４へ電力を供給するための電力供給部としての電源１７、メディア再生装置１００とスピーカー１１との間に接続される増幅部としての増幅装置３７、及び載置手段側接続端子部３４と接続するため格納手段側接続端子部３８を備える格納手段としての配線器具ボックス２１（図３（ｂ）参照）と、を備えている。
【００１６】
複数のスピーカー１１は、直方体状に形成されており、屋内に分散して配置されている。本実施形態においては、建物の壁９０に配置された合計三つのメインスピーカーと、二つのメインスピーカーの間に配置されたセンタースピーカーと、メインスピーカーと隣接する低音域スピーカーと、から構成されている。各スピーカー１１は、図１に示すように建物の壁９０に形成された引っ込み部９１に設けられている。また、スピーカー１１は、図２に示すように、音信号を受信する受信部１１ａを備えており、受信部１１ａは後述するスピーカー用接続配線３９によって配線器具ボックス２１内の増幅装置３７と接続されている。但し、スピーカーの形状や出力などは限定するものではない。
【００１７】
前記載置手段としての載置台１３は、図１に示すように、室内側の壁面９０ａに取り付けられている。ここで図３（ａ）に示す矢印Ａ方向、言い換えれば壁面９０ａに取り付けた際の室内側を前方と定義する。
載置台１３は、図３に示すように、壁面９０ａに取り付ける時に壁面９０ａと平行になる壁面取付部３１と、メディア再生装置１００を下方から支持するための支持台３２と、メディア再生装置１００の操作面と反対側の面と当接する支持部材３３と、メディア再生装置１００が載置されたときに、メディア再生装置１００と電気的に接続される載置手段側接続端子部３４と、を備える。載置台１３はＡＢＳなどの熱可塑性樹脂系の素材で形成されている。壁面取付部３１には、上下四箇所に取付孔３１ａが設けられている。また、支持台３２の平面視中央部には、凹部３２ａが設けられており、凹部３２ａの下面から載置手段側接続端子部３４が上方に突出している。
【００１８】
また、図２及び図３に示すように、載置手段側接続端子部３４には、接続配線４１が接続されている。図３に示すように接続配線４１の一端は、載置手段側接続端子部３４に接続されており、接続配線４１の他端は、格納手段側接続端子部３８と接続するコネクタ４１ａが設けられている。本実施形態においては、凹部３２ａにメディア再生装置１００が載置された際に、載置手段側接続端子部３４にメディア再生装置１００が接続される。
【００１９】
格納手段としての配線器具ボックス２１は、図４に示すように、箱状の容器である。配線器具ボックス２１は、図３（ｂ）に示すように、建物の壁９０の内部に取り付けられ、配線器具ボックス２１を壁９０の内部に取り付ける時に室内側となる面が開口している。ここで図４（ａ）に示す矢印Ｂ方向、言い換えれば壁９０の内部に取り付けた際の室内側を前方と定義する。配線器具ボックス２１は前後方向の厚さが薄く形成されており、具体的には厚さが２０〜３０ｍｍで形成されている。
【００２０】
また、配線器具ボックス２１には、前面に複数の載置手段固定用取付孔２１ａが設けられている。載置手段固定用取付孔２１ａは、上辺（長辺）左側、上辺中央側、上辺右側、下辺左側、下辺中央側、及び下辺右側の計六箇所に設けられている。
また、配線器具ボックス２１には、その左辺及び右辺（短辺）にそれぞれ複数の枠固定用取付孔２１ｂが設けられている。具体的には、配線器具ボックス２１の左辺及び右辺にそれぞれ二つずつ、合計四つの枠固定用取付孔２１ｂが設けられている。
【００２１】
配線器具ボックス２１には、載置手段側接続端子部３４へ電力を供給するための電力供給部としての電源１７、前記メディア再生装置１００とスピーカー１１との間に接続されて当該メディア再生装置１００からの出力を増幅させる増幅部としての増幅装置３７、及び接続配線４１を介して載置手段側接続端子部３４と接続するための格納手段側接続端子部３８が格納されている。
また、配線器具ボックス２１には、コンデンサや抵抗などを含む複数の電気部品４０が格納されている。
【００２２】
電力供給部としての電源１７は、配線器具ボックス２１の下辺左側に固設されている。電源１７は、図２に示すよに、格納手段側接続端子部３８と電気的に接続されており、格納手段側接続端子部３８を介して電力を供給することができる。
【００２３】
増幅部としての増幅装置３７は、配線器具ボックス２１の上辺右側に固設されている。図２に示すように、増幅装置３７は、格納手段側接続端子部３８と電気的に接続されている。また、スピーカー１１にスピーカー用接続配線３９を介して電気的に接続されている。なお、増幅装置３７に接続されたスピーカー用接続配線３９は、図４に示すように、配線器具ボックス２１の上面に設けられた孔を通って配線器具ボックス２１の外側へ出され、各スピーカー１１に接続されている。増幅装置３７は、メディア再生装置１００から送られてくる音響情報を含む電気的な信号（出力）を増幅し、スピーカー用接続配線３９を介してスピーカー１１へ増幅した音響情報を含む信号を送信する。
【００２４】
格納手段側接続端子部３８は、配線器具ボックス２１の左右方向（長軸方向）及び上下方向（短軸方向）において略中央に配置される。より詳細には、格納手段側接続端子部３８は、上下方向において、電源１７及び増幅装置３７よりも内側に配置される。また、格納手段側接続端子部３８は、左右方向において、電源１７及び増幅装置３７よりも内側に配置される。換言すれば、格納手段側接続端子部３８は、電源１７及び増幅装置３７よりも中央側に配置される。格納手段側接続端子部３８は、電源１７及び増幅装置３７と電気的に接続されている。格納手段側接続端子部３８は、載置手段側接続端子部３４と接続する部分である。
【００２５】
次に、配線器具ボックス２１を建物の壁９０内に設ける方法について図５（ａ）及び（ｂ）を用いて説明する。
壁９０は、複数枚の間仕切パネル１０５で構成されている。
間仕切パネル１０５は、図５（ａ）及び（ｂ）に示すように、二本の縦材１０６ａ・１０６ａと二本の横材１０６ｂ・１０６ｂとからなる方形枠１０６と、方形枠１０６に貼設した二枚の面材１０７・１０７と、方形枠１０６の内部に縦材１０６ａと平行または横材１０６ｂと平行に設けられた複数の桟木１０８と、を設けている。
【００２６】
配線器具ボックス２１は、図５（ａ）及び（ｂ）に示すように、間仕切パネル１０５の縦材１０６ａの上下方向中途部に固設される。なお、配線器具ボックス２１は、メディア再生装置１００のユーザーが使用し易い高さに配置されることが望ましい。より詳細には、ユーザーが立ち上がった状態で、当該メディア再生装置１００を載置台１３に載置し易い高さに配置されることが望ましい。
【００２７】
また、図５（ａ）に示すように、配線器具ボックス２１は室内側から見て左側の縦材１０６ａに固設することができる。この場合、配線器具ボックス２１の屋内側から見て左辺に設けられた二つの枠固定用取付孔２１ｂ・２１ｂに固定螺子を螺設し、縦材１０６ａ側の図示せぬ孔に前記固定螺子を螺設することで配線器具ボックス２１を縦材１０６ａに固定する。
【００２８】
また、図５（ｂ）に示すように、配線器具ボックス２１は屋内側から見て右側の縦材１０６ａに固設することができる。この場合、配線器具ボックス２１の屋内側から見て右辺に設けられた二つの枠固定用取付孔２１ｂ・２１ｂに固定螺子を螺設し、縦材１０６ａ側の図示せぬ孔に前記固定螺子を螺設することで配線器具ボックス２１を縦材１０６ａに固定する。
【００２９】
なお、格納手段側接続端子部３８、電源１７、増幅装置３７、及び配線器具ボックス２１内に格納された複数の電気部品４０は、前記固定螺子を枠固定用取付孔２１ｂ・２１ｂに取り付ける際に固定螺子や道具が接触する可能性の有る位置、つまり図４（ｂ）の一点鎖線Ｃで囲まれた範囲に配置されていない。このような構成によって、前記固定螺子を枠固定用取付孔２１ｂ・２１ｂに取り付けるときに、当該固定螺子や当該固定螺子の取り付け用の器具が格納手段側接続端子部３８や電源１７や増幅装置３７や電気部品４０に干渉することを防止することができる。
【００３０】
次に、建物用メディア再生システム１の使用態様について説明する。
【００３１】
メディア再生装置１００は、図３（ｂ）に示すように、支持台３２の凹部３２ａに挿入され、凹部３２ａ底面から突設した載置手段側接続端子部３４と接続される。これにより、メディア再生装置１００と、載置台１３の載置手段側接続端子部３４とが電気的に接続される。
【００３２】
メディア再生装置１００が、凹部３２ａに差し込まれるとき、凹部３２ａが前方へ向かうにつれて上方へ傾斜していることから、メディア再生装置１００は上方へ向かうにつれて後方に傾斜した状態で差し込まれる。メディア再生装置１００の上部であって、操作面（前面）と反対側の面（後面）には、支持部材３３が当接されており、メディア再生装置１００が支持部材３３に当接した状態から更に後方へ傾斜するのを防止している。
【００３３】
また、載置手段側接続端子部３４には、接続配線４１が接続されている。接続配線４１は、格納手段側接続端子部３８に接続されている。格納手段側接続端子部３８は電気的に電源１７及び増幅装置３７に接続されており、さらに、増幅装置３７は、スピーカー用接続配線３９を介して各スピーカー１１に接続されている。これにより、載置手段側接続端子部３４とスピーカー１１及び電源１７が電気的に接続される。
【００３４】
このような状態において、電源１７からは載置手段側接続端子部３４を介してメディア再生装置１００に電力が供給される。これにより、メディア再生装置１００が充電される。また、メディア再生装置１００に格納された音響情報は、載置手段側接続端子部３４、接続配線４１、格納手段側接続端子部３８、及びスピーカー用接続配線３９を介してスピーカー１１の受信部１１ａに出力される。このように構成することにより、スピーカー１１は音響情報に基づいて音楽などを再生する。
【００３５】
次に、第一実施形態に係る、載置台１３を配線器具ボックス２１に固定する方法について図６及び図７を用いて説明する。
【００３６】
まず、図６を用いて、載置台１３を正面視で配線器具ボックス２１の右部に固定する方法について説明する。
また、図６においては、配線器具ボックス２１を屋内側から見て左側の縦材１０６ａに固設しているが、右側の縦材１０６ａに固設している構成であってもよい（図７参照）。
【００３７】
間仕切パネル１０５の室内側の面材１０７には、配線器具ボックス２１に設けられた４つの載置手段固定用取付孔２１ａと対応して、正面視で略矩形状の開口部５０が、当該面材１０７を前後方向に貫通して形成される。より詳細には、開口部５０は、配線器具ボックス２１の六つの載置手段固定用取付孔２１ａのうち、上辺中央側、上辺右側、下辺中央側、及び下辺右側の計四箇所に設けた載置手段固定用取付孔２１ａが室内に露出する（当該開口部５０の内側に配置される）大きさであって、且つ載置台１３の壁面取付部３１の外径よりも小さい大きさに形成される。
【００３８】
載置台１３の取付孔３１ａには、前面から螺子６１が貫入される。螺子６１は、取付孔３１ａを通って、対応する配線器具ボックス２１の載置手段固定用取付孔２１ａに螺挿される。そして、載置台１３及び配線器具ボックス２１が、面材１０７の開口部５０の周縁部を前後から圧着することにより、当該面材１０７に支持（固定）される。このような構成によって、配線器具ボックス２１は、左側が縦材１０６ａに固定されると共に、前側が面材１０７によって固定される。つまり、配線器具ボックス２１は、二方向から固定されるので、例えば左側だけが（一方向からだけ）固定された場合と比較して、より強固に固定される。
【００３９】
また、載置台１３を配線器具ボックス２１に固定するときには、載置手段側接続端子部３４が、接続配線４１を介して格納手段側接続端子部３８に接続される。
この際、上述の如く格納手段側接続端子部３８を配線器具ボックス２１の左右方向（長軸方向）及び上下方向（短軸方向）において略中央に配置したことにより、載置手段側接続端子部３４と格納手段側接続端子部３８との間の距離が比較的短くなる。例えば、格納手段側接続端子部３８が中央から左側に寄っていた場合と比較して、載置手段側接続端子部３４と格納手段側接続端子部３８との間の距離が短くなる。したがって、載置手段側接続端子部３４と格納手段側接続端子部３８とを接続する接続配線４１の長さを短くすることができる。また、載置手段側接続端子部３４と格納手段側接続端子部３８との接続（組み付け）を比較的容易とすることができる。
【００４０】
次に、図７を用いて、載置台１３を正面視で配線器具ボックス２１の左部に固定する方法について説明する。
また、図７においては、配線器具ボックス２１を屋内側から見て右側の縦材１０６ａに固設しているが、左側の縦材１０６ａに固設している構成であってもよい（図６参照）。
【００４１】
間仕切パネル１０５の室内側の面材１０７には、配線器具ボックス２１に設けられた四つの載置手段固定用取付孔２１ａと対応して、正面視で略矩形状の開口部５０が、当該面材１０７を前後方向に貫通して形成される。より詳細には、開口部５０は、配線器具ボックス２１の６つの載置手段固定用取付孔２１ａのうち、上辺中央側、上辺左側、下辺中央側、及び下辺左側の計四箇所に設けた載置手段固定用取付孔２１ａが室内に露出する（当該開口部５０の内側に配置される）大きさであって、且つ載置台１３の壁面取付部３１の外径よりも小さい大きさに形成される
【００４２】
載置台１３の取付孔３１ａには、前面から螺子６１が貫入される。螺子６１は、取付孔３１ａを通って、対応する配線器具ボックス２１の載置手段固定用取付孔２１ａに螺挿される。そして、載置台１３及び配線器具ボックス２１が、面材１０７の開口部５０の周縁部を前後から圧着することにより、当該面材１０７に支持（固定）される。このような構成によって、配線器具ボックス２１は、右側が縦材１０６ａに固定されると共に、前側が面材１０７によって固定される。つまり、配線器具ボックス２１は、二方向から固定されるので、例えば右側だけが（一方向からだけ）固定された場合と比較して、より強固に固定される。
【００４３】
また、載置台１３を配線器具ボックス２１に固定するときには、載置手段側接続端子部３４が、接続配線４１を介して格納手段側接続端子部３８に接続される。
この際、上述の如く格納手段側接続端子部３８を配線器具ボックス２１の左右方向（長軸方向）及び上下方向（短軸方向）において略中央に配置したことにより、載置手段側接続端子部３４と格納手段側接続端子部３８との間の距離が比較的短くなる。例えば、格納手段側接続端子部３８が中央から右側に寄っていた場合と比較して、載置手段側接続端子部３４と格納手段側接続端子部３８との間の距離が短くなる。したがって、載置手段側接続端子部３４と格納手段側接続端子部３８とを接続する接続配線４１の長さを短くすることができる。また、載置手段側接続端子部３４と格納手段側接続端子部３８との接続（組み付け）を比較的容易とすることができる。
【００４４】
このように、載置台１３は、正面視で配線器具ボックス２１の中央に配置しておらず、いずれか一側に偏って配置されていても（本実施形態においては、左側及び右側）載置台１３の載置手段側接続端子部３４と配線器具ボックス２１の格納手段側接続端子部３８との間の距離を短くすることができる。つまり、載置手段側接続端子部３４と格納手段側接続端子部３８とを接続する接続配線４１の長さを短くすることができる。また、載置手段側接続端子部３４と格納手段側接続端子部３８との接続（建物用メディア再生システム１の組み付け）を比較的容易とすることができる。
【００４５】
また、載置台１３の大きさは、配線器具ボックス２１の大きさに対応するものでなくてよい。すなわち、本実施形態において、載置台１３は、配線器具ボックス２１の六つの載置手段固定用取付孔２１ａのうち、四つの載置手段固定用取付孔２１ａが室内に露出する（当該開口部５０の内側に配置される）大きさに形成された開口部５０よりも大きな外径を有する壁面取付部３１を備える構成であればよい。したがって、配線器具ボックス２１が比較的大きな部材として形成されていた場合であっても、室内に配置される載置台１３は比較的小さな部材として形成することができる。その結果、建物用メディア再生システム１の意匠性を向上させることができる。
【００４６】
また、図８に示すように、本実施形態では、格納手段側接続端子部３８は、載置台１３が正面視で配線器具ボックス２１の左部又は右部に配置されている場合であっても、正面からの（載置台１３の配線器具ボックス２１に対する取付け方向の）投影視において、当該載置台１３の内側に配置されている。このような構成によって、載置台１３の載置手段側接続端子部３４と格納手段側接続端子部３８との間の距離が短くなる。より詳細には、格納手段側接続端子部３８と載置手段側接続端子部３４との間の左右方向の距離は、載置台１３の壁面取付部３１の外径よりも短くすることができる。したがって、載置台１３を配線器具ボックスに取り付ける場合に、格納手段側接続端子部３８と載置手段側接続端子部３４とを接続する接続配線４１が、載置台１３と面材１０７の開口部５０の周縁部との間に挟まることを防止することができる。つまり、載置手段側接続端子部３４と格納手段側接続端子部３８との接続（建物用メディア再生システム１の組み付け）を比較的容易とすることができる。
【００４７】
次に、第二実施形態に係る、載置台１３を配線器具ボックス２１に固定する方法について図９及び図１０を用いて説明する。
【００４８】
まず、図９を用いて、載置台１３を正面視で配線器具ボックス２１の右部に固定する方法について説明する。なお、第一実施形態に係る、載置台１３を配線器具ボックス２１に固定する方法と同一構成の部分については、その説明を省略する。
また、図９においては、配線器具ボックス２１を屋内側から見て左側の縦材１０６ａに固設しているが、右側の縦材１０６ａに固設している構成であってもよい（図１０参照）。
【００４９】
間仕切パネル１０５の室内側の面材１０７には、載置台１３に設けられた四つの取付孔３１ａと対応する四つの取付孔１０７ａが設けられている。また、室内側の面材１０７には、配線器具ボックス２１の格納手段側接続端子部３８と対応する位置に接続端子用孔１０７ｂが設けられている。
【００５０】
配線器具ボックス２１は内側から見て左側の縦材１０６ａに固設されている場合、載置台１３は、配線器具ボックス２１の右側寄りに配置する。具体的には、配線器具ボックス２１の載置手段固定用取付孔２１ａのうち、上辺中央側、上辺右側、下辺中央側、及び下辺右側の計四箇所に設けた載置手段固定用取付孔２１ａを用いて載置台１３を配線器具ボックス２１に固設する。載置台１３の取付孔３１ａ前面から螺子６１を貫入し、対応する取付孔１０７ａを通って、配線器具ボックス２１の載置手段固定用取付孔２１ａへ螺設することにより、載置台１３を面材１０７及び配線器具ボックス２１へ固定する。また、配線器具ボックス２１は、螺子６１によって面材１０７に支持される。
【００５１】
また、載置手段側接続端子部３４に接続された接続配線４１は、格納手段側接続端子部３８に接続されている。具体的には、接続配線手段の端部に設けられたコネクタ４１ａを接続端子用孔１０７ｂから間仕切パネル１０５内部へ導き、配線器具ボックス２１内の格納手段側接続端子部３８と接続することにより、接続配線４１が格納手段側接続端子部３８に接続されている。
【００５２】
次に、図１０を用いて、載置台１３を正面視で配線器具ボックス２１の左部に固定する方法について説明する。なお、第一実施形態に係る、載置台１３を配線器具ボックス２１に固定する方法と同一構成の部分については、その説明を省略する。
また、図１０においては、配線器具ボックス２１を屋内側から見て左側の縦材１０６ａに固設しているが、右側の縦材１０６ａに固設している構成であってもよい（図９参照）。
【００５３】
間仕切パネル１０５の室内側の面材１０７には、載置台１３に設けられた四つの取付孔３１ａと対応する四つの取付孔１０７ａが設けられている。また、室内側の面材１０７には、配線器具ボックス２１の格納手段側接続端子部３８と対応する位置に接続端子用孔１０７ｂが設けられている。
【００５４】
配線器具ボックス２１は内側から見て左側の縦材１０６ａに固設されている場合、載置台１３は、配線器具ボックス２１の左側寄りに配置する。具体的には、配線器具ボックス２１の載置手段固定用取付孔２１ａのうち、上辺中央側、上辺左側、下辺中央側、及び下辺左側の計四箇所に設けた載置手段固定用取付孔２１ａを用いて載置台１３を配線器具ボックス２１に固設する。載置台１３の取付孔３１ａ前面から螺子６１を貫入し、対応する取付孔１０７ａを通って、配線器具ボックス２１の載置手段固定用取付孔２１ａへ螺設することにより、載置台１３を面材１０７及び配線器具ボックス２１へ固定する。また、配線器具ボックス２１は、螺子６１によって面材１０７に支持される。
【００５５】
また、載置手段側接続端子部３４に接続された接続配線４１は、格納手段側接続端子部３８に接続されている。具体的には、接続配線手段の端部に設けられたコネクタ４１ａを接続端子用孔１０７ｂから間仕切パネル１０５内部へ導き、配線器具ボックス２１内の格納手段側接続端子部３８と接続することにより、接続配線４１が格納手段側接続端子部３８に接続されている。
【００５６】
以上のように、建物用メディア再生システム１は、
建物に配設されたスピーカー１１（再生手段）によってメディア再生装置１００に記憶された情報を再生する建物用メディア再生システムであって、
建物の室内に配置され、前記メディア再生装置１００を載置可能であって、当該メディア再生装置１００を載置したときに当該メディア再生装置１００と電気的に接続される載置手段側接続端子部３４を備える載置台１３（載置手段）と、
建物の壁面内部に配置され、前記載置手段側接続端子部３４と電気的に接続される格納手段側接続端子部３８を備えて前記載置台１３（載置手段）が室内側から取り付けられる配線器具ボックス２１（格納手段）と、を設け、
前記配線器具ボックス２１（格納手段）には、前記載置手段側接続端子部３４へ電力を供給する電源１７（電力供給部）と、前記メディア再生装置１００と前記スピーカー１１（再生手段）との間に接続されて当該メディア再生装置１００からの出力を増幅させる増幅装置３７（増幅部）と、が格納され、前記格納手段側接続端子部３８が当該電源１７（電力供給部）及び当該増幅装置３７（増幅部）よりも中央側に配置されるものである。
【００５７】
また、建物用メディア再生システム１は、
前記格納手段側接続端子部３８は、前記載置台１３（載置手段）の前記配線器具ボックス２１（格納手段）に対する取付け方向の投影視において、当該載置台１３（載置手段）の内側に配置されるものである。
【００５８】
このような構成によって、建物用メディア再生システム１は、
載置台１３（載置手段）が取り付けられる配線器具ボックス２１（格納手段）が、建物の壁面内部に配置されるので、電源１７（電力供給部）及び増幅装置３７（増幅部）、さらに接続配線４１などの接続手段が室内に露出することがなく、見栄えが良くなり意匠性を向上させることができる。
また、格納手段側接続端子部３８、電源１７（電力供給部）、及び増幅装置３７（増幅部）が一つの部材である配線器具ボックス２１（格納手段）に格納されるので、各部材の組み付けが煩雑とならず、比較的容易とすることができる。
また、格納手段側接続端子部３８が電源１７（電力供給部）及び増幅装置３７（増幅部）よりも中央側に配置される。したがって、配線器具ボックス２１（格納手段）に対する載置台１３（載置手段）の取付け位置が中央に配置されていなくても（いずれか一側へ偏って配置されていても）、載置手段側接続端子部３４と格納手段側接続端子部３８とを比較的容易に接続することができる（建物用メディア再生システム１の組み付けを比較的容易とすることができる）。
【符号の説明】
【００５９】
１    建物用メディア再生システム
１１    スピーカー
１３    載置台（載置手段）
１７    電源（電力供給部）
２１    配線器具ボックス（格納手段）
２１ｂ    枠固定用取付孔（取付孔）
３４    載置手段側接続端子部
３７    増幅装置（増幅部）
３８    格納手段側接続端子部
１００    メディア再生装置
１０５    間仕切パネル
１０６    方形枠（枠体）
１０６ａ    縦材
１０６ｂ    横材
１０７    面材
【図１】
0005703136.tif 000002
【図２】
0005703136.tif 000003
【図３】
0005703136.tif 000004
【図４】
0005703136.tif 000005
【図５】
0005703136.tif 000006
【図６】
0005703136.tif 000007
【図７】
0005703136.tif 000008
【図８】
0005703136.tif 000009
【図９】
0005703136.tif 000010
【図１０】
0005703136.tif 000011